(57)【要約】【課題】引出の内部に包丁差しを設けつつ、引出の内部の空間を奥行き方向で効率的に使用することができ、使用者の利便性を更に高めることが可能な収納庫を提供することを目的とする。【解決手段】本発明にかかる収納庫（ベースキャビネット１３０）の構成は、被収納物を収納可能な引出１３２をスライド自在に収容可能な収納庫であって、引出１３２の前板１３４の裏側に配置されるポケット（右ポケット１５０ｂ）と、ポケットの上面に着脱可能な包丁差しユニット１７０と、を備えることを特徴とする。【選択図】図２
2019195390.tif 000002
【特許請求の範囲】
【請求項１】
被収納物を収納可能な引出をスライド自在に収容可能な収納庫であって、
前記引出の前板の裏側に配置されるポケットと、
前記ポケットの上面に着脱可能な包丁差しユニットと、
を備えることを特徴とする収納庫。
【請求項２】
前記ポケットの長辺の内面には、該ポケットの内部空間を長辺方向に分割する横仕切りを挿抜する長辺側リブが設けられていて、
前記ポケットの短辺の内面には、該ポケットの内部空間を短辺方向に分割する縦仕切りを挿抜する短辺側リブが設けられていて、
前記包丁差しユニットは、前記縦仕切りと前記長辺側リブの上に載置されることを特徴とする請求項１に記載の収納庫。
【請求項３】
前記縦仕切りを挿抜する短辺側リブは短辺方向の中央に配置されていて、
前記包丁差しユニットの奥行きは、前記ポケットの短辺方向の奥行きの半分の長さであって、前記縦仕切りの手前側の空間および奥側の空間のいずれにも取付可能であることを特徴とする請求項２に記載の収納庫。
【発明の詳細な説明】
【技術分野】
【０００１】
本発明は、被収納物を収納可能な引出をスライド自在に収容可能な収納庫に関する。
【背景技術】
【０００２】
従来から、キッチンの引出の内部に設けられる包丁差しについて、様々な構成が提案および提供されている。例えば特許文献１の引出用収納装置では、多数の被係止孔が形成された主板と引出前板の内面側との間に適宜の間隔の収納スペースを構成する収納側部が形成された筐体状ベース部を備える。特許文献１では、筐体状ベース部の収納スペースに包丁差し具を装着している。
【先行技術文献】
【特許文献】
【０００３】
【特許文献１】特開２０１４−１３３０４２号公報
【発明の概要】
【発明が解決しようとする課題】
【０００４】
ここで、引出において奥側の空間は、引出を全開とした状態にようやく被収納物の取り出しが可能となる空間である。このため、引出を手前側の空間および奥側の空間に区画すれば、頻繁に使用する物品は手前側の空間に収納し、使用頻度が低い物品は奥側の空間に収納するというように使い分けができ、使用者の利便性を更に高められるものと考えられる。しかしながら、特許文献１の技術では、引出内に包丁差しを設けるという点においては使用者の利便性が高められるものの、引出全体の空間の奥行き方向の利便性については何ら考慮されていない。
【０００５】
本発明は、このような課題に鑑み、引出の内部に包丁差しを設けつつ、引出の内部の空間を奥行き方向で効率的に使用することができ、使用者の利便性を更に高めることが可能な収納庫を提供することを目的としている。
【課題を解決するための手段】
【０００６】
上記課題を解決するために、本発明にかかる収納庫の代表的な構成は、被収納物を収納可能な引出をスライド自在に収容可能な収納庫であって、引出の前板の裏側に配置されるポケットと、ポケットの上面に着脱可能な包丁差しユニットと、を備えることを特徴とする。
【０００７】
上記構成によれば、引出の前板の裏側に配置されるポケットにより、引出の内部の空間を奥行き方向で効率的に使用することができる。ポケットは着脱可能であるから、左右を反転させて取り付けることができる。そして、そのポケットの上面に包丁差しユニットを着脱可能であることにより、使用者は、包丁差しユニットからなる包丁差しを適宜ポケットに設けることができる。したがって、引出の内部に包丁差しを設けつつ、引出の内部の空間を奥行き方向で効率的に使用することができ、使用者の利便性を更に高めることが可能となる。
【０００８】
上記ポケットの長辺の内面には、ポケットの内部空間を長辺方向に分割する横仕切りを挿抜する長辺側リブが設けられていて、ポケットの短辺の内面には、ポケットの内部空間を短辺方向に分割する縦仕切りを挿抜する短辺側リブが設けられていて、包丁差しユニットは、縦仕切りと長辺側リブの上に載置されるとよい。かかる構成によれば、ポケットの縦仕切りによって分割される空間において、包丁差しユニットが載置されていない空間を収納空間として利用することが可能となる。
【０００９】
上記縦仕切りを挿抜する短辺側リブは短辺方向の中央に配置されていて、包丁差しユニットの奥行きは、ポケットの短辺方向の奥行きの半分の長さであって、縦仕切りの手前側の空間および奥側の空間のいずれにも取付可能であるとよい。これにより、ポケットのうち、奥行きの半分の空間が包丁差しユニットが取り付けられる空間となり、残りの半分の空間を収納スペースとして確保することが可能となる。また、包丁差しをポケットの奥行き方向のどちらがわにでも取付可能である。
【発明の効果】
【００１０】
本発明によれば、引出の内部に包丁差しを設けつつ、引出の内部の空間を奥行き方向で効率的に使用することができ、使用者の利便性を更に高めることが可能な収納庫を提供することができる。
【図面の簡単な説明】
【００１１】
【図１】本実施形態にかかる収納庫を備えるキッチンを示す図である。
【図２】ベースキャビネットの引出を説明する図である。
【図３】引出の前板へのポケットの固定について説明する図である。
【図４】ポケットの仕切りについて説明する図である。
【図５】ポケットへの包丁差しユニットの取付について説明する図である。
【図６】ポケットへの包丁差しユニットの取付について説明する図である。
【図７】ポケットへの包丁差しユニットの固定について説明する図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
（キッチン）
図１は、本実施形態にかかる収納庫を備えるキッチン１００を示す図である。なお、本実施形態では、キッチン１００に備えられる収納庫（ベースキャビネット１３０）を例示するが、これに限定するものではなく、被収納物（不図示）を収納可能な引出をスライド自在に収容可能な収納庫であれば、キッチン１００に備えられる収納庫以外にも本発明を適用することが可能である。
【００１４】
キッチン１００は１枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。天板１１０には、組み込み式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００１５】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１６】
次に、本実施形態の特徴である収納庫について説明する。上記説明したコンロキャビネット１２０、ベースキャビネット１３０、シンクキャビネット１４０のうち、ベースキャビネット１３０を例にとって説明する。図１に示すように、本実施形態の収納庫である１３０は、被収納物（不図示）を収納可能な引出１３２をスライド自在に収容可能である。
【００１７】
（収納庫）
図２は、ベースキャビネット１３０の引出１３２を説明する図である。本実施形態の収納庫であるベースキャビネット１３０（図１参照）は、図２に示す複数のポケット（左ポケット１５０ａおよび右ポケット１５０ｂ）およびスペーサー１６０を備える。左ポケット１５０ａおよび右ポケット１５０ｂは、引出１３２の前板１３４の裏側に配置される。左ポケット１５０ａは、ベースキャビネット１３０を前方から観察した際に前板１３４の裏側において左側に配置される幅が狭いポケットである。右ポケット１５０ｂは、ベースキャビネット１３０を前方から観察した際に前板１３４の裏側において右側に配置される幅が広いポケットである。これらの左ポケット１５０ａおよび右ポケット１５０ｂの上部は、スペーサー１６０によって連結される。
【００１８】
図２に示すように、本実施形態のベースキャビネット１３０によれば、引出１３２の前板１３４の裏側に複数のポケットである左ポケット１５０ａおよび右ポケット１５０ｂが配置されることにより、引出１３２の内部の空間を、手前側の空間および奥側の空間に仕切ることができる。これにより、引出１３２の内部の空間を奥行き方向で効率的に使用することが可能となる。
【００１９】
更に本実施形態では、複数のポケットのうち、右ポケット１５０ｂの上面に、着脱可能な包丁差しユニット１７０が取り付けられる。包丁差しユニット１７０には、包丁を差し込み口であるスリット１７２が形成されている。これにより、上述したようにポケットによって引出１３２の内部の空間を手前側の空間および奥側の空間に仕切りつつ、包丁を好適に収納することができ、使用者の利便性を更に向上することが可能となる。また包丁差しユニット１７０が着脱可能であることにより、使用者は必要に応じて包丁差しユニット１７０の設置の有無を選択することができる。
【００２０】
図３は、引出１３２の前板１３４へのポケットの固定について説明する図である。図３（ａ）は、図２のＡ−Ａ断面図であり、ポケットを引出１３２の前板１３４に固定した状態を示している。図３（ｂ）は、ポケットを引出１３２の前板１３４に固定していない状態での斜視図である。図３（ａ）および（ｂ）に示すように、引出１３２の前板１３４の裏面には、断面がクランク形状のモール１３６が取り付けられている。
【００２１】
左ポケット１５０ａおよび右ポケット１５０ｂを引出１３２に取り付ける際には、図３（ａ）に示すように、左ポケット１５０ａおよび右ポケット１５０ｂの係止リブ１５２をモール１３６に係止する。これにより、左ポケット１５０ａおよび右ポケット１５０ｂが前板１３４に取り付けられ、左ポケット１５０ａおよび右ポケット１５０ｂの奥行き方向への移動が規制される。前板１３４に取り付けられた状態において、左ポケット１５０ａおよび右ポケット１５０ｂの底面は引出１３２の底板１３９に接している。このため、左ポケット１５０ａおよび右ポケット１５０ｂ、ならびにそれらの内部に収納された被収納物の荷重は底面１３９によって支持される。
【００２２】
また図３（ａ）に示すように、左ポケット１５０ａおよび右ポケット１５０ｂには、幅方向に延びる２つの縁（手前側と奥側の両方の縁）に係止リブ１５２が形成されている。したがって、本実施形態では、左ポケット１５０ａおよび右ポケット１５０ｂの左右を反転させてもモール１３６に取り付けることができる。これにより、使用者は自分が使いやすいようにポケットの配置を変更することができるため、利便性を高めることが可能となる。
【００２３】
図４は、ポケットの仕切りについて説明する図である。図４では、２つの左ポケット１５０ａおよび右ポケット１５０ｂのうち右ポケット１５０ｂを例示している。図４（ａ）に示すように、右ポケット１５０ｂの長辺の内面には長辺側リブ１８２が形成されている。長辺側リブ１８２は、右ポケット１５０ｂの内部空間を長辺方向に分割する横仕切り１９２を挿抜可能である。かかる構成によれば、右ポケット１５０ｂの内部の空間を幅方向で複数に分割することができ、小物等の被収納物を整理して収納することができる。
【００２４】
また図４（ａ）および（ｂ）に示すように、右ポケット１５０ｂの短辺の内面には短辺側リブ１８４が形成されている。短辺側リブ１８４は、右ポケット１５０ｂの内部空間を短辺方向に分割する縦仕切り１９４を挿抜可能である。これにより、右ポケット１５０ｂの内部の空間を奥行き方向で複数に分割することができ、右ポケット１５０ｂの幅方向に長い被収納物を整理して収納することが可能となる。
【００２５】
図５および図６は、ポケットへの包丁差しユニット１７０の取付について説明する図である。図５に示すように、本実施形態では、包丁差しユニット１７０は、縦仕切り１９４と長辺側リブ１８２の上に載置される。そして、載置した後に、包丁差しユニット１７０のラッチ１７４を、右ポケット１５０ｂの短辺側に形成された係止穴１８６に嵌めることにより、包丁差しユニット１７０が右ポケット１５０ｂに固定される。このように本実施形態のベースキャビネット１３０によれば、取付のための他の部材を必要とすることなく包丁差しユニット１７０を右ポケット１５０ｂに取り付けることが可能となる。
【００２６】
特に本実施形態では、縦仕切り１９４を挿抜する短辺側リブ１８４は短辺方向の中央に配置されていて、包丁差しユニット１７０の奥行きＤ１は、右ポケット１５０ｂの短辺方向の奥行きＤ２の半分の長さである。そして、包丁差しユニット１７０は、縦仕切りの手前側の空間および奥側の空間のいずれにも取付可能である。
【００２７】
上記構成によれば、右ポケット１５０ｂのうち、奥行きの半分の空間が包丁差しユニット１７０が取り付けられる空間となり、残りの半分の空間を収納スペースとして確保することが可能となる。したがって、右ポケット１５０ｂの縦仕切り１９４によって分割される空間において、包丁差しユニットが載置されていない空間を収納空間として利用することが可能となる。
【００２８】
また右ポケット１５０ｂの短辺側の両側面に係止穴１８６が形成されていることにより、ラッチ１７４はいずれの係止穴１８６にも嵌めることができる。したがって、包丁差しユニット１７０を左右反転させた状態で取り付けることが可能となる。これにより、使用者は、自分の利き手が右または左のいずれの場合においても包丁差しを良好に使用することが可能となる。
【００２９】
更に、上述したように本実施形態では、左ポケット１５０ａおよび右ポケット１５０ｂの左右を反転させてもモール１３６（図３（ｂ）参照）に取り付けることができる。したがって、使用者の利き手が右の場合には、図６（ａ）に示すように右ポケット１５０ｂを右側に配置し、包丁を右側に引き抜く方向に包丁差しユニット１７０を配置することにより、包丁を良好に取り出しおよび収納することができる。
【００３０】
一方、使用者の利き手が左の場合には、図６（ｂ）に示すように左ポケット１５０ａおよび右ポケット１５０ｂを左右反転させてモール１３６に取り付け、包丁差しユニット１７０も図６（ａ）に示す状態と反転させる。これにより、利き手が左の使用者も包丁を良好に取り出しおよび収納することが可能となる。
【００３１】
図７は、ポケットへの包丁差しユニット１７０の固定について説明する図である。図７（ａ）は、包丁差しユニット１７０を側方から観察した状態を示す図であり、図７（ｂ）は、包丁差しユニット１７０を取り付けた右ポケット１５０ｂを左ポケット１５０ａと接する側から観察した状態を示す図である。
【００３２】
図７（ａ）に示すように、包丁差しユニット１７０のラッチ１７４には、ロック孔１７６が設けられていて、かかるロック孔１７６にはロックピン２００が挿入される。ロックピン２００の先端にはフック２０２が設けられている。図５に示すように右ポケット１５０ｂに包丁差しユニット１７０を取り付けたら、左ポケット１５０ａを引出１３２に取り付ける前に、図７（ａ）に示すロックピン２００を右ポケット１５０ｂの係止穴１８６に挿入する。これにより、ロックピン２００が右ポケット１５０ｂの係止穴１８６を通過して包丁差しユニット１７０のロック孔１７６（図７（ａ）参照）に挿通される。
【００３３】
そして、図７（ｂ）に示すようにロックピン２００を回転させることにより、ロックピン２００の先端のフック２０２がロック孔１７６に係止される。これにより、ロックピン２００が抜け止めとなるため、右ポケット１５０ｂからの包丁差しユニット１７０の外れを好適に防ぐことが可能となる。
【００３４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、被収納物を収納可能な引出をスライド自在に収容可能な収納庫に利用することができる。
【符号の説明】
【００３６】
１００…キッチン、１１０…天板、１１２…コンロ、１１４…調理スペース、１１６…シンク、１２０…コンロキャビネット、１３０…ベースキャビネット、１３２…引出、１３４…前板、１３６…モール、１３９…底板、１４０…シンクキャビネット、１５０ａ…左ポケット、１５０ｂ…右ポケット、１５２…係止リブ、１６０…スペーサー、１７０…包丁差しユニット、１７２…スリット、１７４…ラッチ、１７６…ロック孔、１８２…長辺側リブ、１８４…短辺側リブ、１８６…係止穴、１９２…横仕切り、１９４…縦仕切り、２００…ロックピン、２０２…フック
【図１】
2019195390.tif 000003
【図２】
2019195390.tif 000004
【図３】
2019195390.tif 000005
【図４】
2019195390.tif 000006
【図５】
2019195390.tif 000007
【図６】
2019195390.tif 000008
【図７】
2019195390.tif 000009